(57)【要約】 【課題】Low to Highタイプの光ディスクに対する記録レーザパワーの設定を適正に行うことにより、記録膜特性の劣化を抑制し、ディスクの再生耐久性ないし記録情報の信頼性を高め得る光ディスク装置を提供する。【解決手段】トラックＴ１とこれに隣接するトラックＴ２に同じテストパワーＰｗｔで試し書きを行う。その後、トラックＴ１とＴ２を再生し、各トラックにおけるＰＲＳＮＲを取得する。さらに、取得した２つのＰＲＳＮＲの差分Ｐｄを求め、この差分Ｐｄが閾値Ｐｄ−ｓｈ以下であるか（条件１）を判別する。この条件を満たす場合には、さらに、トラックＴ１から取得したＰＲＳＮＲが閾値Ｐｓｈ以上であるか（条件２）を判別する。条件１、２がともに満たされていれば、そのときのテストパワーＰｗｔを記録パワーに設定する。【選択図】図４
2008077740.tif 000002
【特許請求の範囲】
【請求項１】
ディスクに対してレーザ光を照射する光ピックアップと、
前記レーザ光の記録パワーを設定する記録パワー設定回路とを備え、
前記記録パワー設定回路は、
前記ディスク上の第１のトラックに記録パワー（Pwt）にて試し書きを行った後、前記第１のトラックに隣接する第２のトラックに同じ記録パワー（Pwt）にて試し書きを行い、その後、前記第１のトラックと前記第２のトラックを再生して再生信号をそれぞれ取得し、取得した両再生信号の関係に基づいて、前記記録パワー（Pwt）を主情報記録の際の記録レーザパワー（Pw0）に設定するかを決定する、
ことを特徴とする光ディスク装置。
【請求項２】
請求項１に記載の光ディスク装置において、
前記記録パワー設定回路は、
前記第１のトラックと前記第２のトラックを再生して再生信号の良否に関するパラメータ値をそれぞれ取得し、前記第１のトラックから取得した第１のパラメータ値（P1）と前記第２のトラックから取得した第２のパラメータ値（P2）の間の変化の大きさに基づいて、前記記録パワー（Pwt）を主情報記録の際の記録レーザパワー（Pw0）に設定するかを決定する、
ことを特徴とする光ディスク装置。
【請求項３】
請求項２に記載の光ディスク装置において、
前記記録パワー設定回路は、前記第１のパラメータ値（P1）と前記第２のパラメータ値（P2）の間の変化の大きさが予め決められた閾値（Pd-sh）の範囲内にあり、且つ、前記第１のパラメータ値（P1）が予め決められた閾値（Psh）の範囲内にあることを条件に、前記記録パワー（Pwt）を主情報記録の際の記録レーザパワー（Pw0）に設定するかを決定する、
ことを特徴とする光ディスク装置。
【請求項４】
請求項３に記載の光ディスク装置において、
前記記録パワー設定回路は、前記記録パワー（Pwt）を変化させながら前記試し書きと前記再生を繰り返して前記第１のパラメータ値（P1）と前記第２のパラメータ値（P2）のサンプルを複数取得し、このうち、前記第１のパラメータ値（P1）と前記第２のパラメータ値（P2）の間の変化の大きさが予め決められた閾値（Pd-sh）の範囲内にあり、且つ、前記第１のパラメータ値（P1）が予め決められた閾値（Psh）の範囲内にあるサンプルの何れかに対応する記録パワー（Pwt）を主情報記録の際の記録レーザパワー（Pw0）に設定する、
ことを特徴とする光ディスク装置。
【請求項５】
請求項４に記載の光ディスク装置において、
前記記録パワー設定回路は、前記第１のパラメータ値（P1）と前記第２のパラメータ値（P2）の間の変化の大きさが予め決められた閾値（Pd-sh）の範囲内にあり、且つ、前記第１のパラメータ値（P1）が予め決められた閾値（Psh）の範囲内にあるサンプルのうち前記第１のパラメータ値（P1）が最も大きいサンプルに対応する記録パワー（Pwt）を主情報記録の際の記録レーザパワー（Pw0）に設定する、
ことを特徴とする光ディスク装置。
【請求項６】
ディスクに対してレーザ光を照射する光ピックアップと、
前記レーザ光の記録パワーを設定する記録パワー設定回路とを備え、
前記記録パワー設定回路は、
前記ディスク上の第１のトラックに記録パワー（Pwt）にて試し書きを行った後、前記第１のトラックに隣接する第２のトラックに同じ記録パワー（Pwt）にて試し書きを行い、その後、前記第１のトラックを再生したときの再生信号に基づいて、前記記録パワー（Pwt）を主情報記録の際の記録レーザパワーＰｗを設定するかを決定する、
ことを特徴とする光ディスク装置。
【請求項７】
請求項６に記載の光ディスク装置おいて、
前記記録パワー設定回路は、前記第１のトラックを再生したときの再生信号から、当該再生信号の振幅レベル（L1）と、当該再生信号の良否に関するパラメータ値（P1）を取得し、さらに、前記ディスク上のエンボス領域を再生したときの再生信号の振幅レベル（L0）を取得し、前記振幅レベル（L1）が前記振幅レベル（L0）以下となり、且つ、前記パラメータ値（P1）が予め決められた閾値（Psh）の範囲内にあることを条件に、前記記録パワー（Pwt）を主情報記録の際の記録レーザパワーＰｗを設定するかを決定する、
ことを特徴とする光ディスク装置。
【請求項８】
請求項７に記載の光ディスク装置において、
前記記録パワー設定回路は、さらに、前記第２のトラックを再生して前記再生信号の良否に関するパラメータ値（P2）を取得し、前記振幅レベル（L1）が前記振幅レベル（L0）以下となり、前記パラメータ値（P1）が予め決められた閾値（Psh）の範囲内にあり、且つ、前記パラメータ値（P1）と前記パラメータ値（P2）の間の変化の大きさが予め決められた閾値（Pd-sh）の範囲内にあることを条件に、前記記録パワー（Pwt）を主情報記録の際の記録レーザパワーＰｗを設定するかを決定する、
ことを特徴とする光ディスク装置。
【請求項９】
ディスクに対してレーザ光を照射する光ピックアップと、
前記レーザ光の記録パワーを設定する記録パワー設定回路とを備え、
前記記録パワー設定回路は、
前記ディスク上のトラックに記録パワー（Pwt）にて試し書きを行った後、当該試し書き後のトラックを再生し、そのときの再生信号から、当該再生信号の振幅レベル（L1）を取得するとともに、前記ディスク上のエンボス領域を再生したときの再生信号の振幅レベル（L0）を取得し、前記振幅レベル（L1）が前記振幅レベル（L0）以下となることを条件に、前記記録パワー（Pwt）を主情報記録の際の記録レーザパワーＰｗを設定するかを決定する、
ことを特徴とする光ディスク装置。
【請求項１０】
請求項９に記載の光ディスク装置において、
前記記録パワー設定回路は、前記試し書き後のトラックを再生したときの再生信号から、さらに、当該再生信号の良否に関するパラメータ値（P1）を取得し、前記振幅レベル（L1）が前記振幅レベル（L0）以下となり、且つ、前記パラメータ値（P1）が予め決められた閾値（Psh）の範囲内にあることを条件に、前記記録パワー（Pwt）を主情報記録の際の記録レーザパワーＰｗを設定するかを決定する、
ことを特徴とする光ディスク装置。
【発明の詳細な説明】
【技術分野】
【０００１】
本発明は、光ディスク装置に関し、特に、記録部分の反射率が未記録部分の反射率よりも高くなる、いわゆるLow to Highタイプの光ディスクに情報を記録する際に用いて好適なものである。
【背景技術】
【０００２】
現在、商品化が進められているＨＤＤＶＤ−Ｒディスクには、記録部分の反射率が未記録部分の反射率よりも高くなる、いわゆるLow to Highタイプのディスクが提案されている。この種のディスクは、記録層が有機色素材料によって形成されるため、記録層が無機材料によって形成されるHigh to Lowタイプのディスクに比べ、外部からの光によって感光を受け易いといった特性を有している。その一方、ＨＤＤＶＤ規格では、最低、１００万回の再生が求められており、Low to Highタイプのディスクにおいても高い信頼性が確保されなければならない。このため、ドライブ装置では、過度の感光による記録膜特性の劣化や、クロスイレーズが起こらないよう、記録時のレーザパワーを適正に設定することが求められる。
【０００３】
図１２は、Low to HighタイプのＨＤＤＶＤ−Ｒディスクに情報を記録する際の動作を模式的に示す図である。図示の如く、この種のディスクでは、High to LowタイプのＨＤＤＶＤ−Ｒディスクと同じくグルーブのみに記録が行われる。また、この種のディスクは書き換え可能でないため、ディスク内周から外周にわたって１トラックずつ順番に記録が行われる。同図の場合、グルーブ（G1）への記録が済むと、これに隣接するグルーブ（G2）に記録が行われる。このため、グルーブ（G2）への記録時に、光スポットの周縁が既に記録済みのグルーブ（G1）に掛かることとなる。この場合、光スポット内におけるレーザ強度はスポット中心部分に集中するため、このように光スポットの周縁がグルーブ（G1）に掛かっても、これによりグルーブ（G1）上に記録マークが形成されることはない。しかし、微弱ながらもグルーブ（G1）にレーザ光が漏れこむため、これによりグルーブ（G1）の記録層が感光し、記録層に耐光性の面で劣化が生じる。この他、グルーブに強いパワーにてレーザ光が照射されると、記録膜特性に劣化が生じ、再生耐久性に問題が生じる可能性がある。このように、Low to HighタイプのＨＤＤＶＤ−Ｒディスクでは、High to LowタイプのＨＤＤＶＤ−Ｒディスクとは異なる側面から、記録レーザパワーの設定を検討する必要がある。
【０００４】
なお、以下の特許文献１には、データエリアとは別に用意されたテストゾーンに試し書きを行って最適な記録パワーを求めることが記載されている。
【特許文献１】特開２００３−２２８８４０号公報
【発明の開示】
【発明が解決しようとする課題】
【０００５】
一般に、追記型ディスクにおける記録レーザパワーは、再生信号特性が最良となるパワーに設定される。たとえば、High to LowタイプのＨＤＤＶＤ−Ｒディスクでは、テスト領域に対する試し書きによって、ＰＲＳＮＲ（Partial Response Signal to Noise Ratio）が最大となり、あるいは、再生エラーレートが最小となる記録レーザパワーが求められ、この記録レーザパワーが、主情報記録用のレーザパワーに設定される。
【０００６】
この設定方法によれば、記録直後の再生信号特性は最良になるものと予測できる。しかし、これをLow to HighタイプのＨＤＤＶＤ−Ｒディスクにそのまま適用すると、上記の如く記録膜特性に劣化が生じ、これに起因して、規格で定める再生回数に到達する前に、十分な信号特性が得られなくなる惧れがある。発明者の検証によれば、ＰＲＳＮＲが最大となるレーザパワーにて記録を行った場合、再生回数が７０〜８０万回程度に達するあたりで再生信号のＰＲＳＮＲが急速に劣化し、規格で定める１００万回の再生動作を実現できないことが確認された（これについては、実施の形態にて明らかにする）。
【０００７】
なお、記録膜特性の劣化は、データリードイン領域やファイル情報の格納領域等、再生の都度リードされるためにレーザ光の照射を頻繁に受ける領域において顕著となる。しかし、これらの領域が再生不能になると、主情報再生に必要な情報が取得できなくなり、ディスク全体の情報が再生不能となってしまう。
【０００８】
本発明は、このような問題を解消するためになされたものであり、Low to Highタイプの光ディスクに対する記録レーザパワーの設定を適正に行うことにより、記録膜特性の劣化を抑制し、ディスクの再生耐久性ないし記録情報の信頼性を高め得る光ディスク装置を提供することを課題とする。
【課題を解決するための手段】
【０００９】
上記課題に鑑み本発明は、以下の特徴を有する。
【００１０】
請求項１の発明は、光ディスク装置に関するものであり、ディスクに対してレーザ光を照射する光ピックアップと、レーザ光の記録パワーを設定する記録パワー設定回路とを備えている。ここで、記録パワー設定回路は、ディスク上の第１のトラックに記録パワー（Pwt）にて試し書きを行った後、第１のトラックに隣接する第２のトラックに同じ記録パワー（Pwt）にて試し書きを行い、その後、第１のトラックと第２のトラックを再生して再生信号をそれぞれ取得し、取得した両再生信号の関係に基づいて、記録パワー（Pwt）を主情報記録の際の記録レーザパワー（Pw0）に設定するかを決定する。
【００１１】
請求項２の発明は、請求項１に記載の光ディスク装置をさらに具体化するものである。すなわち、請求項２の発明において、記録パワー設定回路は、第１のトラックと第２のトラックを再生して再生信号の良否に関するパラメータ値をそれぞれ取得する。そして、第１のトラックから取得した第１のパラメータ値（P1）と第２のトラックから取得した第２のパラメータ値（P2）の間の変化の大きさに基づいて、記録パワー（Pwt）を主情報記録の際の記録レーザパワー（Pw0）に設定するかを決定する。
【００１２】
請求項３の発明は、請求項２に記載の光ディスク装置をさらに具体化するものである。すなわち、請求項３の発明において、記録パワー設定回路は、第１のパラメータ値（P1）と第２のパラメータ値（P2）の間の変化の大きさが予め決められた閾値（Pd-sh）の範囲内にあり、且つ、前記第１のパラメータ値（P1）が予め決められた閾値（Psh）の範囲内にあることを条件に、記録パワー（Pwt）を主情報記録の際の記録レーザパワー（Pw0）に設定するかを決定する。
【００１３】
請求項４の発明は、請求項３に記載の光ディスク装置をさらに詳細に規定するものである。すなわち、請求項４の発明において、記録パワー設定回路は、記録パワー（Pwt）を変化させながら試し書きと再生を繰り返して第１のパラメータ値（P1）と第２のパラメータ値（P2）のサンプルを複数取得し、このうち、第１のパラメータ値（P1）と第２のパラメータ値（P2）の間の変化の大きさが予め決められた閾値（Pd-sh）の範囲内にあり、且つ、前記第１のパラメータ値（P1）が予め決められた閾値（Psh）の範囲内にあるサンプルの何れかに対応する記録パワー（Pwt）を主情報記録の際の記録レーザパワー（Pw0）に設定する。
【００１４】
請求項５の発明は、請求項４に記載の光ディスク装置をさらに具体化するものである。すなわち、請求項５に発明において、記録パワー設定回路は、第１のパラメータ値（P1）と第２のパラメータ値（P2）の間の変化の大きさが予め決められた閾値（Pd-sh）の範囲内にあり、且つ、第１のパラメータ値（P1）が予め決められた閾値（Psh）の範囲内にあるサンプルのうち第１のパラメータ値（P1）が最も大きいサンプルに対応する記録パワー（Pwt）を主情報記録の際の記録レーザパワー（Pw0）に設定する。
【００１５】
請求項６の発明は、光ディスク装置に関するものであり、ディスクに対してレーザ光を照射する光ピックアップと、レーザ光の記録パワーを設定する記録パワー設定回路とを備えている。ここで、記録パワー設定回路は、ディスク上の第１のトラックに記録パワー（Pwt）にて試し書きを行った後、第１のトラックに隣接する第２のトラックに同じ記録パワー（Pwt）にて試し書きを行い、その後、第１のトラックを再生したときの再生信号に基づいて、記録パワー（Pwt）を主情報記録の際の記録レーザパワー（Pw0）に設定するかを決定する。
【００１６】
請求項７の発明は、請求項６に記載の光ディスク装置をさらに具体化するものである。すなわち、請求項７の発明において、記録パワー設定回路は、第１のトラックを再生したときの再生信号から、当該再生信号の振幅レベル（L1）と、当該再生信号の良否に関するパラメータ値（P1）を取得し、さらに、ディスク上のエンボス領域を再生したときの再生信号の振幅レベル（L0）を取得し、振幅レベル（L1）が振幅レベル（L0）以下となり、且つ、パラメータ値（P1）が予め決められた閾値（Psh）の範囲内にあることを条件に、記録パワー（Pwt）を主情報記録の際の記録レーザパワー（Pw0）に設定するかを決定する。
【００１７】
請求項８の発明は、請求項７に記載の光ディスク装置に新たな特徴を追加するものである。すなわち、請求項８の発明おいて、記録パワー設定回路は、さらに、第２のトラックを再生して再生信号の良否に関するパラメータ値（P2）を取得し、振幅レベル（L1）が振幅レベル（L0）以下となり、パラメータ値（P1）が予め決められた閾値（Psh）の範囲内にあり、且つ、パラメータ値（P1）とパラメータ値（P2）の間の変化の大きさが予め決められた閾値（Pd-sh）の範囲内にあることを条件に、記録パワー（Pwt）を主情報記録の際の記録レーザパワー（Pw0）に設定するかを決定する。。
【００１８】
請求項９の発明は、光ディスク装置に関するものであり、ディスクに対してレーザ光を照射する光ピックアップと、レーザ光の記録パワーを設定する記録パワー設定回路とを備えている。ここで、記録パワー設定回路は、ディスク上のトラックに記録パワー（Pwt）にて試し書きを行った後、当該試し書き後のトラックを再生し、そのときの再生信号から、当該再生信号の振幅レベル（L1）を取得するとともに、ディスク上のエンボス領域を再生したときの再生信号の振幅レベル（L0）を取得し、振幅レベル（L1）が振幅レベル（L0）以下となることを条件に、記録パワー（Pwt）を主情報記録の際の記録レーザパワーＰｗを設定するかを決定する。
【００１９】
請求項１０の発明は、請求項９に記載の光ディスク装置に新たな特徴を追加するものである。すなわち、請求項１０の発明おいて、記録パワー設定回路は、試し書き後のトラックを再生したときの再生信号から、さらに、当該再生信号の良否に関するパラメータ値（P1）を取得する。そして、振幅レベル（L1）が振幅レベル（L0）以下となり、且つ、パラメータ値（P1）が予め決められた閾値（Psh）の範囲内にあることを条件に、記録パワー（Pwt）を主情報記録の際の記録レーザパワーＰｗを設定するかを決定する。
【００２０】
なお、上記請求項における「記録パワー設定回路」は、以下の実施形態において、主として、レーザパワー調整回路１０４と、コントローラ１１１によって具現化されている。また、以下の実施形態のうち、実施例１は請求項１ないし５の発明の実施形態であり、実施例２は請求項６ないし８の発明の実施形態である。ただし、以下の実施の形態は、あくまでも、本発明の一つの実施形態であって、本発明ないし各構成要件の用語の意義は、以下の実施の形態に記載されたものに制限されるものではない。
【発明の効果】
【００２１】
本発明によれば、Low to Highタイプの光ディスクに対する記録レーザパワーの設定を適正に行うことができ、これにより、ディスクの再生耐久性ないし記録情報の信頼性を高めることができる。
【００２２】
請求項１ないし８の発明によれば、隣接する２つのトラックに同じパワーにて試し書きを行い、そのときの再生信号の状態から記録パワーの設定を行うようにしたため、隣接トラックへの記録時にレーザ光が記録済みトラックに漏れこむことによる記録膜特性の影響を加味した記録パワーの設定を行うことができる。また、請求項３、４、５、７および８の発明によれば、主情報記録の際の記録パワーが、再生信号の良否に関するパラメータ値（ＰＲＳＮＲ等）が最良となる記録パワーよりも低く抑えられるため、パラメータ値が最良となる記録パワーにて記録を行う場合に比べ、記録膜特性の劣化が抑制され、よって、ディスクの再生耐久性を高めることができる。
【００２３】
なお、請求項７の発明では、第１および第２のトラックに試し書きを行った後に、第１のトラックを再生し、そのときの再生信号を評価するようにしているが、請求項７の発明による評価条件を、一つのトラックのみに試し書きを行う方法に適用した場合にも、記録膜特性の劣化抑制効果が発揮され得る。また、請求項７の発明では、第１のトラックを再生したときの再生信号の振幅（L1）と、エンボス領域を再生したときの再生信号の振幅レベル（L0）とを比較することの他に、第１のトラックを再生したときの再生信号の良否に関するパラメータ値（P1）とその閾値（Psh）とを比較することもレーザパワーの設定時の評価条件としているが、前者の条件のみをレーザパワーの設定時の評価条件とした場合にも、記録膜特性の劣化抑制効果が奏され得る。
【００２４】
請求項９および１０の発明は、この点に鑑み、請求項７の構成から、複数のトラックに同じパワーで試し書きを行うとの制限を外したものである。
【００２５】
本発明の特徴は、以下に示す実施の形態の説明により更に明らかとなろう。なお、請求項１ないし５の発明における効果は、以下に示す実施例１の検証結果によって明らかとなろう。また、請求項６ないし８の発明における効果は、以下に示す実施例２の検証結果によって明らかとなろう。さらに、請求項９および１０の発明の効果は、図７を参照する説明にて明らかとなろう。
【発明を実施するための最良の形態】
【００２６】
以下、本発明の実施の形態につき図面を参照して説明する。本実施の形態は、Low to HighタイプのＨＤ ＤＶＤ−Ｒに記録再生を行う光ディスク装置に本発明を適用したものである。
【００２７】
まず、図１に光ディスク１００のエリアフォーマットを示す。
【００２８】
図示の如く、ディスク１００は、その径方向に、ＢＣＡ（Burst Cutting Area）、システムリードインエリア、データリードインエリア、データエリア、データリードアウトエリアに領域分割されている。さらに、データリードインエリアとデータリードアウトエリアは種々のゾーンに区分されており、このうち、インナードライブテストゾーンおよびアウタードライブテストゾーンを用いて、記録レーザパワーの設定動作が行われる。
【００２９】
ＢＣＡには、対応する規格書番号やディスクタイプ等が記録されている。光ディスク装置は、ディスク挿入時にＢＣＡを読み取ることにより、ディスク種別などを判別できる。また、システムリードインエリアには、対応する規格書番号・ディスク種別の他、当該ディスクの記録再生に関する情報がピットによって記録されている。この情報は、たとえば当該ディスクに適用される記録スピードや反射率、最適な記録再生パワー、Write  Strategy、記録エリアの設定および当該ディスクのディスク製造会社の識別情報等から構成されている。光ディスク装置は、ディスク挿入時にこのエリアを再生することでディスク種別の他、記録再生に必要な情報を取得する。
【００３０】
なお、ピット形成領域（システムリードイン領域）とグルーブ形成領域（データリードイン領域、データ領域、データリードアウト領域）は同じ膜構造となっている。すなわち、ピット形成領域にもグルーブ形成領域と同様、記録膜と反射膜が形成されている。
【００３１】
図２に、実施の形態に係る光ディスク装置の構成を示す。
【００３２】
図示の如く、光ディスク装置は、エンコーダ１０１と、変調回路１０２と、レーザ駆動回路１０３と、レーザパワー調整回路１０４と、光ピックアップ１０５と、信号増幅回路１０６と、復調回路１０７と、デコーダ１０８と、サーボ回路１０９と、ＡＤＩＰ再生回路１１０と、コントローラ１１１から構成されている。
【００３３】
なお、同図には、光ピックアップ１０５をディスク径方法に移動させるためのアクチュエータが図示省略されている。このアクチュエータは、サーボ回路１０９から入力されるサーボ信号によって駆動制御される。また、同図には、コントローラ１１１からサーボ回路に向かう信号線が図示省略されている。コントローラ１１１は、記録レーザパワーの設定時に、適宜、サーボ回路１０９に指令信号を出力する。
【００３４】
図において、エンコーダ１０１は、入力された記録データに対し誤り訂正符号の付加等のエンコード処理を施し、変調回路１０２へ出力する。変調回路１０２は、入力された記録データに所定の変調を施し、さらに記録信号を生成してレーザ駆動回路１０３に出力する。レーザ駆動回路１０３は、記録時には変調回路１０２からの記録信号に応じた駆動信号を半導体レーザ１０５ａに出力し、再生時には一定強度のレーザ光を出射するための駆動信号を半導体レーザ１０５ａに出力する。ここで、記録および再生時のレーザパワーは、レーザパワー調整回路１０４からの信号によってコントロールされる。レーザパワー調整回路１０４は、コントローラ１１１からの指令に応じて、記録および再生時のレーザパワーを規定する信号をレーザ駆動回路１０３に出力する。
【００３５】
光ピックアップ１０５は、半導体レーザ１０５ａおよび光検出器１０５ｂを備え、レーザ光をグルーブ上に収束させることにより、ディスクに対するデータの書き込みおよび読み出しを行う。なお、光ピックアップ１０５は、この他、グルーブに対するレーザ光の照射状態を調整するための対物レンズアクチュエータと、半導体レーザ１０５ａから出射されたレーザ光を対物レンズに導き、且つ、ディスク１００からの反射光を光検出器１０５ｂに導くための光学系等を備えている。
【００３６】
信号増幅回路１０６は、光検出器１０５ｂから受信した信号を増幅および演算処理して各種信号を生成し、これを対応する回路に出力する。復調回路１０７は、信号増幅回路１０６から入力された再生ＲＦ信号を復調して再生データを生成し、デコーダ１０８に出力する。デコーダ１０８は、復調回路１０７から入力されたデータに対し誤り訂正等のデコード処理を施し、後段回路に出力する。
【００３７】
サーボ回路１０９は、信号増幅回路１０６から入力されたフォーカスエラー信号およびトラッキングエラー信号からフォーカスサーボ信号およびトラッキングサーボ信号を生成し、光ピックアップ１０５の対物レンズアクチュエータに出力する。また、信号増幅回路１０６から入力されたウォブル信号からモータサーボ信号を生成し、ディスク駆動モータに出力する。ＡＤＩＰ再生回路１１０は、信号増幅回路１０６から入力されたウォブル信号からアドレス情報等を再生し、これらをコントローラ１１１に出力する。
【００３８】
コントローラ１１１は、内蔵メモリに各種データを格納するとともに、あらかじめ設定されたプログラムに従って各部を制御する。なお、コントローラ１１１の内蔵メモリには、記録パワー設定の際に行われる試し書きの初期パワーを規定する情報が保持されている。この情報は、たとえば、ディスク製造会社と初期パワーを対応付けたものとすることができる。この場合、コントローラ１１１は、システムリードインエリアからディスク製造会社に関する情報を読み取り、これに対応する初期パワーを内蔵メモリから取得して、試し書き時の初期パワーに設定する。
【００３９】
あるいは、これに代えて、システムリードインエリアに記録されている最適記録パワーを補正するための係数νをディスク製造会社に対応付けて内蔵メモリに記憶させても良い。この場合、コントローラ１１１は、システムリードインエリアに記録されている最適記録パワーとディスク製造会社に関する情報を読み取り、読み取ったディスク製造会社に対応する係数νを内蔵メモリから取得し、取得した係数νをシステムリードインエリアから読み取った最適記録パワーに乗じて、試し書き時の初期パワーを算出する。
【００４０】
なお、システムリードインエリアから取得したディスク製造会社が内蔵メモリ内に存在しない場合が起こり得る。これに対応するために、内蔵メモリには、初期パワーまたは係数νのデフォルト値が格納されている。システムリードインエリアから取得したディスク製造会社が内蔵メモリ内に存在しない場合、コントローラ１１１は、内蔵メモリに格納されている初期パワーまたは係数νのデフォルト値を用いて試し書き時の初期パワーを設定する。
【００４１】
なお、内蔵メモリに記憶されている初期パワーまたは係数νは、試し書き時の初期パワーが、システムリードインエリアに記録されている最適記録パワーよりも小さくなるよう値に設定されている。したがって、記録パワー設定時の初回の試し書きは、ディスク製造会社によって設定された最適記録パワーよりも低く抑えられることとなる。
【実施例１】
【００４２】
次に、図３を参照して、記録パワーの設定方法について説明する。
【００４３】
同図（ａ）は、サンプルディスク（Low to HighタイプのＨＤＤＶＤ−Ｒディスク）上のあるトラック（グルーブ）に記録を行った後、そのトラックを再生してＰＲＳＮＲを測定したときの測定結果である。横軸は記録レーザパワー、縦軸はＰＲＳＮＲである。なお、この測定では、トラックに測定対象パワーのレーザ光を照射して記録を行った。また、測定機は、パルステック工業製  ＯＤＵ−１０００を用いた。測定時のディスク線速は６．６１ｍ/ｓ（一定）、再生パワーは０．４ｍＷである。
【００４４】
従来の記録パワー設定方法では、記録したトラックのＰＲＳＮＲを取得し、そのＰＲＳＮＲが最良となるパワーに記録パワーが設定される。同図（ａ）の測定例の場合、記録パワーＰｗは、Ｐｗ＝９．５ｍＷ程度に設定される。
【００４５】
同図（ｂ）は、ある記録パワーＰｗｔにてトラック（グルーブ）Ｔ１に記録を行った後、これに隣接する次のトラックＴ２に同じパワーＰｗｔにて記録を行い、その後、トラックＴ２の記録部分を再生してＰＲＳＮＲ（Ｐ２）を求め、次いで、トラックＴ１の記録部分を再生してＰＲＳＮＲ（Ｐ１）を求め、さらに、Ｐ２とＰ１の差分を求めたときの測定結果である。横軸は記録レーザパワーＰｗｔ、縦軸はＰ２とＰ１の差分である。この測定は、トラックＴ１の記録部分とトラックＴ２の記録部分がディスク径方向に略完全に並ぶようにして行った。また、この測定には、同図（ａ）の場合と同じサンプルディスクを用いた。測定機および測定条件も同図（ａ）の場合と同じである。
【００４６】
この測定では、トラックＴ２に記録を行う際にトラックＴ１の記録済み部分にレーザ光が漏れこみ、トラックＴ１の記録部分にこのレーザ光の漏れ込みによる信号特性の劣化が生じる。ここで、劣化の程度は、Ｐ２とＰ１の差分の大きさによって評価できる。同図（ｂ）の測定結果では、記録レーザパワーが８．５ｍｗを超えるあたりでＰ２とＰ１の差分が急激に大きくなる。したがって、この場合には、記録レーザパワーを８．５ｍＷよりも大きくすると、記録済みトラックにおける信号劣化が顕著となり、ディスクの再生耐久性が低下するものと予測できる。すなわち、ＰＲＳＮＲが最良となる９．５ｍＷ程度に記録レーザパワーを設定すると、記録信号特性が顕著に劣化し、ディスクの再生耐久性が低下するものと予測できる。
【００４７】
本実施例では、記録レーザパワー設定の際の試し書き時に、Ｐ２とＰ１の差分をモニタし、これが急激に変化するよりも低いレンジにおいて、記録レーザパワーＰｗを設定する。具体的には、Ｐ２とＰ１の差分Ｐｄに上限値Ｐｄ−ｓｈを設定し、Ｐｄ≦Ｐｄ−ｓｈを満たす範囲から記録レーザパワーＰｗを設定する。たとえば、同図（ｂ）の場合に、上限値Ｐｄ−ｓｈ＝２に設定すると、記録レーザパワーの設定レンジが、８．５ｍＷよりも低い範囲に設定される。記録レーザパワーは、このレンジの中から適宜設定される。
【００４８】
図４は、記録レーザパワー設定時の処理フローチャートである。
【００４９】
記録レーザパワーの設定処理が開始されると、まず、試し書き時の記録パワー（以下、「テストパワー」という）Ｐｗｔが初期パワーに設定される（Ｓ１０１）。初期パワーの設定は、上記の如く、コントローラ内の内蔵メモリから初期パワーまたは係数νを読み出すことによって行われる。
【００５０】
このようにしてテストパワーＰｗｔが設定されると、光ピックアップ１０５がインナードライブテストゾーンまたはアウタードライブテストゾーン（以下、「テストゾーン」という）に送られ、テストゾーン中のトラックＴ１にテストパワーＰｗｔにて試し書きが行われる（Ｓ１０２）。さらに、この試し書きが終了すると、トラックＴ１に隣接するトラックＴ２に同じテストパワーＰｗｔにて試し書きが行われる（Ｓ１０３）。なお、試し書きは、トラックＴ１の試し書き部分とトラックＴ２の試し書き部分がディスク径方向に略完全に並ぶようにして行われる。
【００５１】
Ｓ１０２、１０３における試し書きが終了すると、次に、トラックＴ２、Ｔ１の試し書き部分が順番に再生され、ＰＲＳＮＲ（Ｐ２）、（Ｐ１）が取得される（Ｓ１０４，１０５）。そして、Ｐ２とＰ１の差分ＰｄがＰｄ＝Ｐ２−Ｐ１の演算により求められ（Ｓ１０６）、求めたＰｄと、Ｐ１、Ｐ２、Ｐｗｔがメモリに記憶される（Ｓ１０７）。
【００５２】
しかる後、当該記録パワー設定の際の試し書き回数が予め設定された回数Ｎに到達したかが判別され（Ｓ１０８）、到達していなければ（Ｓ１０８：Ｎｏ）、テストパワーＰｗｔがΔＰだけ高められた後（Ｓ１０９）、Ｓ１０２に戻り、以降の処理が行われる。これにより、新たなテストパワーＰｗｔにて試し書きを行ったときのＰ１、Ｐ２およびＰｄが求められ、これらが新たなテストパワーＰｗｔとともにメモリに記憶される（Ｓ１０２〜Ｓ１０７）。
【００５３】
Ｓ１０２からＳ１０７の処理は、試し書き回数がＮに到達するまで繰り返される。これにより、テストパワーＰｗｔとＰ１、Ｐ２、Ｐｄを組とするサンプルがＮ個求められメモリに記憶される。
【００５４】
しかして、Ｎ個のサンプルがメモリに記憶されると（Ｓ１０８：ＹＥＳ）、Ｎ個のサンプル中から、差分Ｐｄが予め設定された上限値Ｐｄ−ｓｈ以下となるサンプルが抽出される（Ｓ１１０）。さらに、抽出されたサンプルの中から、Ｐ１が予め決められたＰＲＳＮＲの閾値Ｐｓｈ以上となるものが抽出され、ここで抽出された各サンプルのテストパワーＰｗｔのうち最高のテストパワーＰｗｔが記録パワーＰｗに設定される（Ｓ１１１）。
【００５５】
なお、閾値Ｐｓｈは、Ｐｓｈ＞１５に設定される。これは、ＰＲＳＮＲが１５以下の場合には、再生データにエラーが頻発し信号処理系にて誤り訂正を行っても訂正しきれないためである。実質的には、ディスク全面における信号特性のばらつきや、システムの安定性を考慮して、閾値Ｐｓｈは、Ｐｓｈ＝２０程度に設定するのが好ましい。上限値Ｐｄ−ｓｈは、Low to HighタイプのＨＤＤＶＤ−Ｒディスクの特性を種々のディスクに対して検証した結果に基づいて設定される。
【００５６】
本実施例によれば、隣接する２つのトラックに試し書きを行い、そのときの再生信号の状態から記録パワーＰｗの設定を行うようにしたため、レーザ光の漏れこみによる記録済みトラックの信号特性の劣化を考慮した記録パワー設定を行うことができる。また、本実施例によれば、Ｐ１≧Ｐｓｈとなるよう記録パワーＰｗが設定されるため、再生信号特性が信号処理系にて対応できないレベルまで低下するのを抑止することができる。特に、本実施例では、図４のＳ１１１において、Ｐ１≧Ｐｓｈとなる各サンプルのテストパワーＰｗｔのうち最高のテストパワーＰｗｔを記録パワーＰｗに設定するようにしたため、他のサンプルのテストパワーを記録パワーに設定する場合に比べ、記録パワーＰｗをＰＲＳＮＲが少しでも高くなるものに近付けることができる。すなわち、一般に、ＰＲＳＮＲと差分Ｐｄ（Ｐ２−Ｐ１）の間には図３（ａ）（ｂ）の関係があり、Ｐ１≧Ｐｓｈとなる各サンプルのテストパワーＰｗｔはＰＲＳＮＲが最高となるパワーよりも低いため、図４のＳ１１１において最高のテストパワーＰｗｔを選択することにより、設定される記録パワーＰｗをＰＲＳＮＲが最高となる記録パワーに近付けることができる。これにより、良好な再生信号特性を実現することができる。
【００５７】
なお、本実施例によれば、ＰＲＳＮＲが最高となる場合よりも記録パワーが低く抑えられるため、その分、記録膜特性の劣化を抑制することができる。よって、本実施例によれば、ＰＲＳＮＲが最高となるよう記録パワーを設定する場合に比べ、ディスクの耐久性を高めることができる。
【００５８】
図５に、ディスク耐久性の検証結果を示す。同図（ａ）は、ＰＲＳＮＲが最高となるよう記録パワーを設定した場合の検証結果、同図（ｂ）は、本実施例に従って記録パワーを設定した場合の検証結果である。各図の横軸は再生回数、縦軸はＰＲＳＮＲである。
【００５９】
なお、この検証は、上記図３にて用いたものと同種のサンプルディスクを用いて行った。同図（ａ）の検証例では、図３（ａ）に示す測定結果から、記録パワーＰｗをＰＲＳＮＲが最高となる９．５ｍＷに設定した。また、同図（ｂ）の検証例では、図３（ｂ）に示す測定結果から、Ｐ２−Ｐ１≦２となる４つのサンプルのうちＰ１が最高となるサンプルのパワーである８．５ｍＷに記録パワーＰｗを設定した。
【００６０】
それぞれの検証例では、このようにして設定した記録パワーにてディスク内周から順に記録を行い、その後、隣接する内周側と外周側のトラックがともに記録された状態にあるトラックを選択して、このトラックを繰り返し再生するようにした。測定機は、パルステック工業製  ＯＤＵ−１０００を用いた。測定時のディスク線速は６．６１ｍ/ｓ（一定）、再生パワーは０．４ｍＷである。
【００６１】
同図（ａ）（ｂ）を参照して分かるとおり、再生回数が少ない間は、比較例の方が実施例よりもＰＲＳＮＲが高くなる。しかし、比較例においては、再生回数が７０万回を超えたあたりから急激にＰＲＳＮＲが低下し、８０万回を超えると、ＰＲＳＮＲが１５未満となって再生不可能となる。つまり、比較例においては、規格で定める再生可能回数１００万回を満たすことができない。これに対し、実施例によれば、再生回数が８０万回を超えてもなおＰＲＳＮＲは２５以上を維持し、さらに再生回数が１００万回に到達しても２５以上のＰＲＳＮＲ２５を確保できる。実施例によれば、規格で定める再生回数１００万回を満たすことができる。さらに、実施例によれば、再生回数が１０万回を過ぎてからはＰＲＳＮＲが上昇傾向となり、５０万回を超えたあたりで、比較例のＰＲＳＮＲよりも高くなる。
【００６２】
このように本実施例によれば、ＰＲＳＮＲを高く維持しつつ再生可能回数を規格が求める回数まで飛躍的に延ばすことができる。よって、本実施例によれば、ディスクの耐久性とデータの信頼性を飛躍的に高めることができる。
【００６３】
なお、本実施例では、Ｐ２−Ｐ１≦Ｐｄ−ｓｈとなるサンプルのうちＰ１が最高となるサンプルのパワーを記録パワーＰｗに設定するようにしたが、Ｐ１が最高となるサンプル以外のサンプルのパワーを記録パワーＰｗに設定することもできる。ただし、この場合は、本実施例の場合に比べ、設定された記録パワーＰｗが、ＰＲＳＮＲが最高となる記録パワーから離れることとなるため、少なくとも再生回数が少ない間は、本実施例の場合よりもＰＲＳＮＲが低くなるものと予測できる。
【００６４】
また、本実施例では、２トラックに対する試し書きをＮ回実行してＮ個のサンプルを取得し、その中から記録パワーＰｗのＰＲＳＮＲが最高となる記録パワーを取得するようにしたが、２トラックに対する試し書きを実行する度にＰｄ≦Ｐｄ−ｓｈとＰ１≧Ｐｓｈの判別を行い、この条件が満たされれば、その後の試し書きは行わずに、その試し書きの際のテストパワーを記録パワーに設定するようにすることもできる。
【００６５】
その場合の処理フローチャートを図６に示す。このフローチャートでは、図６のフローチャートのＳ１０７以降が変更されている。すなわち、上記の如くＳ１０１〜Ｓ１０６にて、２トラックに対する試し書きを行いＰＲＳＮＲ（Ｐ１）、（Ｐ２）の差分Ｐｄが取得されると、Ｐ１≧Ｐｓｈが判別される（Ｓ１２０）。ここで、Ｐ１≧Ｐｓｈであれば（Ｓ１２０：ＹＥＳ）、さらに、Ｐｄ≦Ｐｓ−ｓｈが判別され（Ｓ１２１）、この条件が満たされれば（Ｓ１２１：ＹＥＳ）、そのときのテストパワーＰｗｔが記録パワーＰｗに設定される（Ｓ１２２）。
【００６６】
一方、Ｐ１≧Ｐｓｈでなければ（Ｓ１２０：ＮＯ）、テストパワーＰｗｔがΔＰａだけ高められた後（Ｓ１２３）、Ｓ１０２に戻り、以降の処理が行われる。また、Ｐ１≧Ｐｓｈの条件は満たされるがＰｄ≦Ｐｄ−ｓｈの条件が満たされなければ（Ｓ１２１：ＮＯ）、テストパワーＰｗｔがΔＰｂだけ低められた後（Ｓ１２４）、Ｓ１０２に戻り、以降の処理が行われる。これらの処理により、新たなテストパワーＰｗｔにて試し書きを行ったときのＰ１、Ｐ２およびＰｄが求められ、これをもとに、Ｓ１２０、Ｓ１２１の条件が評価される。
【００６７】
図６の処理フローチャートによれば、Ｎ回以下の試し書きによって記録パワーの設定が可能であるため、無駄な試し書きを抑制でき、記録パワー設定処理の迅速化を図ることができる。ただし、この処理フローチャートでは、図４の場合の場合に比べ、設定された記録パワーＰｗが、ＰＲＳＮＲが最高となる記録パワーから離れることとなるため、少なくとも再生回数が少ない間は、本実施例の場合よりもＰＲＳＮＲが低くなるものと予測される。
【実施例２】
【００６８】
図７を参照して、実施例２に係る記録パワーの設定方法について説明する。
【００６９】
同図（ａ）（ｂ）は、同じLow to HighタイプのＨＤＤＶＤ−Ｒディスクに対し、それぞれ記録パワーＰｗ１、Ｐｗ２（Ｐｗ２＞Ｐｗ１）で記録を行ったときの再生ＲＦ信号を示す図である。図示の如く、Low to HighタイプのＨＤＤＶＤ−Ｒディスクでは、記録膜特性の劣化が進むに応じて、再生ＲＦ信号レベルが上昇する。したがって、再生ＲＦ信号レベルをもとに記録パワーの適否を評価することができる。すなわち、再生ＲＦ信号レベルが所定の閾値レベルを越える場合は記録パワーが過大であると評価し、再生ＲＦ信号レベルが閾値レベル以下のときは記録パワーが適正であると評価することができる。
【００７０】
本実施例では、再生ＲＦ信号レベルを評価するための閾値レベルとして、システムリードイン領域（ピット形成領域）を再生したときに得られる再生ＲＦ信号が用いられる。上記の如く、システムリードイン領域はデータ領域と同様の層構造を有しているため、そこから取得される再生ＲＦ信号は、そのディスクの膜特性を反映するものとなる。したがって、このように、試し書き時の再生ＲＦ信号レベルを評価するための閾値レベルとして、システムリードイン領域を再生したときに得られる再生ＲＦ信号を用いるようにすると、そのディスクの膜特性にあった記録パワーの設定を行うことができる。
【００７１】
なお、システムリードイン領域には記録が行われないため、この領域の膜特性が記録パワーのレーザ光照射によって変動することはない。また、システムリードイン領域の情報はデータリードイン領域にコピーされ、記録再生動作時には、通常、データリードイン領域にコピーされた情報が参照されるため、システムリードイン領域に再生パワーのレーザ光が照射される回数は少なく、このため、再生パワーレーザ光の照射によってシステムリードイン領域の膜特性が大きく変動することもない。このように、システムリードイン領域の膜特性は、記録再生動作による影響を受け難いため、そこから取得される再生ＲＦ信号レベルは、試し書き時の再生ＲＦ信号レベルを評価するための閾値レベルとして適正なものとなる。
【００７２】
図７（ｃ）（ｄ）は、それぞれ、システムリードイン領域を再生したときの再生ＲＦ信号波形と、適正パワーにて記録したときの再生ＲＦ信号波形である。本実施例では、図示の如く、試し書き時の取得した再生ＲＦ信号レベルＬ１がシステムリードイン領域から取得した再生ＲＦ信号レベルＬ０よりも小さくなるときに、当該試し書きの際のテストパワーＰｗｔを記録パワーＰｗに設定する。
【００７３】
図８は、本実施例に係る記録レーザパワー設定時の処理フローチャートである。
【００７４】
記録レーザパワーの設定処理が開始されると、まず、再生パワーのレーザ光にてシステムリードインをリードして再生ＲＦ信号レベルＬ０が取得される（Ｓ２０１）。その後、上記実施例１の場合と同様にしてテストパワーＰｗｔが初期パワーに設定される（Ｓ２０２）。
【００７５】
このようにしてテストパワーＰｗｔが設定されると、光ピックアップ１０５がテストゾーンに送られ、テストゾーン中のトラックＴ１にテストパワーＰｗｔにて試し書きが行われる（Ｓ２０３）。さらに、この試し書きが終了すると、トラックＴ１に隣接するトラックＴ２に同じテストパワーＰｗｔにて試し書きが行われる（Ｓ２０４）。なお、試し書きは、トラックＴ１の試し書き部分とトラックＴ２の試し書き部分がディスク径方向に略完全に並ぶようにして行われる。
【００７６】
Ｓ２０３、２０４における試し書きが終了すると、次に、トラックＴ１の試し書き部分が再生され、再生ＲＦ信号レベルＬ１とＰＲＳＮＲ（Ｐ１）が取得される（Ｓ２０５）。そして、取得した再生ＲＦ信号レベルＬ１がＳ２０１で取得したシステムリードイン領域の再生ＲＦ信号レベルＬ０と比較され（Ｓ２０６）、Ｌ１≦Ｌ０であれば（Ｓ２０６：ＹＥＳ）、さらに、Ｐ１≧Ｐｓｈが判別され（Ｓ２０７）、この条件が満たされれば（Ｓ２０７：ＹＥＳ）、そのときのテストパワーＰｗｔが記録パワーＰｗに設定される（Ｓ２０８）。
【００７７】
一方、Ｌ１≦Ｌ０でなければ（Ｓ２０６：ＮＯ）、テストパワーＰｗｔがΔＰＬだけ低められた後（Ｓ２０９）、Ｓ２０３に戻り、以降の処理が行われる。また、Ｌ１≦Ｌ０の条件は満たされるがＰ１≧Ｐｓｈの条件が満たされなければ（Ｓ１２１：ＮＯ）、テストパワーＰｗｔがΔＰｍだけ高められた後（Ｓ２１０）、Ｓ２０３に戻り、以降の処理が行われる。これらの処理により、新たなテストパワーＰｗｔにて試し書きを行ったときのＰ１、Ｌ１が求められ、これをもとに、Ｓ２０６、Ｓ２０７の条件が評価される。
【００７８】
なお、Ｓ２０７における閾値Ｐｓｈは、上記実施例１と同様、Ｐｓｈ＞１５に設定される。これは、ＰＲＳＮＲが１５以下の場合には、再生データにエラーが頻発し信号処理系にて誤り訂正を行っても訂正しきれないためである。実用上、閾値Ｐｓｈは、Ｐｓｈ＝２０程度に設定するのが好ましい。また、Ｓ２０６では、閾値としてＬ０を用いたが、Ｌ０に１未満の係数を掛けた値を閾値として用いても良い。ここで、係数は、たとえば、ディスク製造メーカ毎に変化させるようにすると良い。この場合、係数は、コントローラ１１１内の内蔵メモリに予め格納しておく。また、この係数は、Low to HighタイプのＨＤＤＶＤ−Ｒディスクの特性をディスク製造メーカ毎に検証した結果に基づいて設定される。
【００７９】
図９は、図８に示すフローチャートに、上記実施例１における評価要素を追加したものである。
【００８０】
同図を参照して、Ｓ２０１〜２０４においてトラックＴ１、Ｔ２に対する試し書きが終了すると、トラックＴ２の試し書き部分が再生され、ＰＲＳＮＲ（Ｐ２）が取得される（Ｓ２１０）。次いで、トラックＴ１の試し書き部分が再生され、再生ＲＦ信号レベルＬ１とＰＲＳＮＲ（Ｐ１）が取得される（Ｓ２０５）。さらに、Ｐ２とＰ１の差分ＰｄがＰｄ＝Ｐ２−Ｐ１の演算により求められる（Ｓ２１１）。
【００８１】
そして、取得した再生ＲＦ信号レベルＬ１がＳ２０１で取得したシステムリードイン領域の再生ＲＦ信号レベルＬ０と比較される（Ｓ２０６）。ここで、Ｌ１≦Ｌ０であれば（Ｓ２０６：ＹＥＳ）、さらに、Ｐ１≧Ｐｓｈが判別され（Ｓ２０７）、この条件が満たされれば（Ｓ２０７：ＹＥＳ）、さらに、Ｐｄ≦Ｐｄ−ｓｈが判別され（Ｓ２１２）、この条件が満たされれば（Ｓ２１２：ＹＥＳ）、そのときのテストパワーＰｗｔが記録パワーＰｗに設定される（Ｓ２０８）。
【００８２】
一方、Ｌ１≦Ｌ０でなければ（Ｓ２０６：ＮＯ）、テストパワーＰｗｔがΔＰＬだけ低められた後（Ｓ２０９）、Ｓ２０３に戻り、以降の処理が行われる。また、Ｌ１≦Ｌ０の条件は満たされるがＰ１≧Ｐｓｈの条件が満たされなければ（Ｓ２０７：ＮＯ）、テストパワーＰｗｔがΔＰｍだけ高められた後（Ｓ２１０）、Ｓ２０３に戻り、以降の処理が行われる。さらに、Ｌ１≦Ｌ０の条件とＰ１≧Ｐｓｈの条件は満たされるがＰｄ≦Ｐｄ−ｓｈの条件が満たされなければ（Ｓ２１２：ＮＯ）、テストパワーＰｗｔがΔＰｎだけ低められた後（Ｓ２１３）、Ｓ２０３に戻り、以降の処理が行われる。これらの処理により、新たなテストパワーＰｗｔにて試し書きを行ったときのＰ１、Ｐ２、Ｌ１、Ｐｄが求められ、これをもとに、Ｓ２０６、Ｓ２０７、Ｓ２１２の条件が評価される。
【００８３】
本実施例によれば、上記実施例１と同様、隣接する２つのトラックに試し書きを行い、そのときの再生信号の状態から記録パワーＰｗの設定を行うようにしたため、レーザ光の漏れこみによる記録済みトラックの信号特性の劣化を考慮した記録パワー設定を行うことができる。また、本実施例によれば、Ｐ１≧Ｐｓｈとなるよう記録パワーＰｗが設定されるため、再生信号特性が信号処理系にて対応できないレベルまで低下するのを抑止することができる。
【００８４】
また、図８および図９のフローチャートによれば、初期設定したテストパワーにてＳ２０６，２０７およびＳ２１２に条件が満たされる場合には、１回の試し書きにて記録パワーを決定することができるため、テストゾーンの無駄な消費を抑制でき、また、記録レーザパワーの設定動作に要する時間を大幅に短縮することができる。図８および図９のフローチャートでは、記録レーザパワーの設定動作に要する時間を短縮する観点から、トラックＴ２の再生を行ってからトラックＴ１の再生を行うようにしたが、トラック１の方を先に再生するようにしても良い。
【００８５】
なお、本実施例によれば、以下に示す如く、ＰＲＳＮＲが最高となるよう記録パワーを設定する場合に比べ、ディスクの耐久性を高めることができる。すなわち、ＰＲＳＮＲが最高となるように記録パワーを設定する場合よりも、記録膜特性の劣化を抑制することができる。
【００８６】
図１０は、ディスク耐久性の検証結果を示す図である。同図（ａ）は、ＰＲＳＮＲが最高となるよう記録パワーを設定した場合の検証結果、同図（ｂ）は、本実施例に従って記録パワーを設定した場合の検証結果である。各図の横軸は再生回数、縦軸はＰＲＳＮＲである。
【００８７】
なお、この検証は、上記図３にて用いたものと同種のサンプルディスクを用いて行った。同図（ａ）の検証例では、図３（ａ）に示す測定結果から、記録パワーＰｗをＰＲＳＮＲが最高となる９．５ｍＷに設定した。また、同図（ｂ）の検証例では、図９のＳ２０６、２０７およびＳ２１２の条件を満たすよう、記録パワーＰｗを８．０ｍＷに設定した。
【００８８】
なお、当該サンプルディスクでは、Ｓ２０６におけるＬ０は、Ｌ０＝４２０ｍＶであり、記録パワーＰｗをＰｗ＝８．０ｍＷとしたときの再生ＲＦ信号レベルＬ１は、Ｌ１＝３６８ｍＶであった。よって、図１０（ｂ）に示す検証例では、Ｓ２０６における条件が満たされる。
【００８９】
また、Ｓ２０７におけるＰｓｈは、Ｐｓｈ＝１５とし、記録パワーＰｗをＰｗ＝８．０ｍＷとしたときのトラック１のＰＲＳＮＲ（Ｐ１）は、Ｐ１＝２４であった。よって、図１０（ｂ）に示す検証例では、Ｓ２０７における条件が満たされる。
【００９０】
さらに、Ｓ２０８におけるＰｓ−ｓｈは、Ｐｄ−ｓｈ＝２とし、記録パワーＰｗをＰｗ＝８．０ｍＷとしたときのＰｄ＝Ｐ２−Ｐ１は、Ｐｄ＝２（図３参照）であった。よって、図１０（ｂ）に示す検証例では、Ｓ２０８における条件が満たされる。
【００９１】
図１０（ａ）（ｂ）の検証例では、上記実施例１の場合と同様、このようにして設定した記録パワーにてディスク内周から順に記録を行い、その後、隣接する内周側と外周側のトラックがともに記録された状態にあるトラックを選択して、このトラックを繰り返し再生するようにした。測定機は、上記実施例１の場合と同様、パルステック工業製  ＯＤＵ−１０００を用いた。測定時のディスク線速は６．６１ｍ/ｓ（一定）、再生パワーは０．４ｍＷである。
【００９２】
同図（ａ）（ｂ）を参照して分かるとおり、再生回数が少ない間は、比較例の方が実施例よりもＰＲＳＮＲが高くなる。しかし、比較例においては、上記実施例１で述べた如く、再生回数が７０万回を超えたあたりから急激にＰＲＳＮＲが低下し、８０万回を超えると、ＰＲＳＮＲが１５未満となって再生不可能となる。つまり、比較例においては、規格で定める再生可能回数１００万回を満たすことができない。これに対し、本実施例によれば、再生回数が８０万回を超えてもなおＰＲＳＮＲは２５以上を維持し、さらに再生回数が１００万回に到達しても２５以上のＰＲＳＮＲ２５を確保できる。すなわち、本実施例によれば、規格で定める再生回数１００万回を満たすことができる。さらに、本実施例によれば、再生回数が６０万回程度に到達するまでＰＲＳＮＲが上昇傾向となり、３０万回を超えたあたりで、比較例のＰＲＳＮＲよりも高くなる。
【００９３】
なお、図１０（ｂ）と図５（ｂ）と比較して分かるとおり、本実施例によれば、上記実施例１の場合に比べ、再生耐久性をさらに引き延ばすことができる。すなわち、本実施例によれば、上記実施例１と比べても、さらに、記録レーザ光による記録膜特性の劣化を抑制することができることが分かる。
【００９４】
このように本実施例によれば、ＰＲＳＮＲを高く維持しつつ再生可能回数を規格が求める回数まで飛躍的に延ばすことができる。よって、本実施例によれば、ディスクの耐久性とデータの信頼性を飛躍的に高めることができる。
【００９５】
なお、本実施例および図１０の検証例では、ピット形成領域（システムリードイン領域）とグルーブ形成領域（データリードイン領域、データ領域、データリードアウト領域）を同じパワーのレーザ光にて再生して各領域の再生ＲＦ信号を取得することを前提としているが、仕様上、ピット形成領域とグルーブ形成領域の再生パワーが相違する場合には、これら再生パワー間の比率を乗じることにより、ピット形成領域（システムリードイン領域）からの再生ＲＦ信号とグルーブ形成領域（テストゾーン）からの再生ＲＦ信号の尺度を一致させるようにすれば良い。たとえば、ピット形成領域（システムリードイン領域）に対する再生パワーが０．５ｍＷ、グルーブ形成領域（データリードイン領域、データ領域、データリードアウト領域）に対する再生パワーが０．４ｍＷの場合には、システムリードイン領域から取得した再生ＲＦ信号レベルを０．８倍したものを、図８および図９のＳ２０１における再生ＲＦ信号レベルＬ０に設定する。もちろん、このようにＬ０を修正する方法に代えて、記録パワー設定時におけるシステムリードイン領域の再生パワーを、グルーブ領域に適用される再生パワーと同じく、０．４ｍＷに設定するようにしても良い。
【００９６】
以上、本発明に係る実施例１、２ついて説明したが、本発明は、上記実施例１、２に制限されるものではない。
【００９７】
たとえば、上記実施例１、２では、再生信号の良否に関するパラメータ値としてＰＲＳＮＲを用いたが、これに代えて、再生エラーレート、ＣＮ、ジッター等を用いることもできる。
【００９８】
なお、試し書きの際は、トラック１周に同じパワーにて試し書きを行わずに、トラック１周を複数の領域に分割し、領域毎にパワーを切り替えて、試し書きを行うようにしても良い。この場合、このトラックに隣接するトラックも同様に複数の領域に分割し、各トラックの隣り合う領域には同じパワーにて試し書きを行う。図１１はトラック１周を４つの領域に分割する場合の例である。この場合、トラックＴ１、Ｔ２の領域１には、テストパワーＰｗｔ１にて試し書きを行い、これに続く領域２には、テストパワーＰｗｔ１とは異なるテストパワーＰｗｔ２で試し書きを行う。
【００９９】
また、上記実施例では、マーク長毎に記録パワーのピークを階段状に変化させる、いわゆるライトストラテジに関する説明は省略したが、当然ながら、これらの実施例は、ライトストラテジを含むパワー条件の要請にも適宜適応するものである。
【０１００】
なお、上記実施例では、隣接する２つのトラックに同じパワー条件にて試し書きを行うようにしたが、隣接する３つ以上のトラックに同じパワー条件にて試し書きを行うようにすることもできる。ただし、この場合には、上記実施例に比べ、記録パワーの設定に要する時間が長くなる。
【０１０１】
その他、本発明の実施の形態は、特許請求の範囲に示された技術的思想の範囲内において、適宜、種々の変更が可能である。
【図面の簡単な説明】
【０１０２】
【図１】実施の形態に係る光ディスクのエリアフォーマットを示す図
【図２】実施の形態に係る光ディスク装置の構成を示す図
【図３】実施例１に係る記録パワーの設定方法を説明する図
【図４】実施例１に係る記録パワー設定時の処理フローチャート
【図５】実施例１に係る検証例を示す図
【図６】実施例１に係る記録パワー設定時の処理フローチャートの変更例
【図７】実施例２に係る記録パワーの設定方法を説明する図
【図８】実施例２に係る記録パワー設定時の処理フローチャート
【図９】実施例２に係る記録パワー設定時の処理フローチャートの変更例
【図１０】実施例２に係る検証例を示す図
【図１１】実施の形態に係る試し書きトラックの分割例を示す図
【図１２】従来例の問題点を説明する図
【符号の説明】
【０１０３】
１０３  レーザ駆動回路
１０４  レーザパワー調整回路
１０５  光ピックアップ
１０６  信号増幅回路
１０７  復調回路
１０８  デコーダ
１０９  サーボ回路
【図１】
2008077740.tif 000003
【図２】
2008077740.tif 000004
【図３】
2008077740.tif 000005
【図４】
2008077740.tif 000006
【図５】
2008077740.tif 000007
【図６】
2008077740.tif 000008
【図７】
2008077740.tif 000009
【図８】
2008077740.tif 000010
【図９】
2008077740.tif 000011
【図１０】
2008077740.tif 000012
【図１１】
2008077740.tif 000013
【図１２】
2008077740.tif 000014